(57)【要約】【課題】  コンクリート境界標を埋設する場合、垂直に且つ正しい向きに埋設しづらい不具合を解決すること。【解決手段】  ピンポールとコンクリート境界標をアダプターで垂直に固定することにより、この課題を解決する。  上記アダプターにピンポールを２本たて、２本のピンポールを土地境界線の方向に視準することにより、この課題を解決する。【選択図】図１
2009036742.tif 000002
【特許請求の範囲】
【請求項１】
ピンポールとコンクリート境界標をアダプターで固定して一体化することを特徴とする。
【請求項２】
上記アダプターにピンポールを２本立てコンクリート境界標を土地境界線の方向に正しく向けることを特徴とする。
【発明の詳細な説明】
【技術分類】
【０００１】  本発明は、測量の境界標埋石に関するものであり、境界標埋石をし易くしたものである。
【背景技術】
【０００２】  従来から、コンクリート境界標埋石の最、コンクリート境界標を垂直に且つ正しい向きに埋石するには、下げ振り等を使用していました。
【特許文献】  特に知らない。
【非特許文献】  特に知らない。
【発明の開示】
【発明が解決しようとする課題】
【０００３】  しかし、測量先方者は測量観測者が指示する正しい位置にコンクリート境界標をずらしながら、コンクリート境界標の傾きと方向を同時に見なければならず、熟練者であっても容易にできるものではありません。
【課題を解決するための手段】
【０００４】  この課題を解決するための請求項１の発明は、コンクリート境界標とピンポールをアダプターで固定し、コンクリート境界標とピンポールを一体化することにより、ピンポールの気泡菅を見るだけで容易にコンクリート境界標を垂直に立てることが可能になり、コンクリート境界標とピンポールが一体化しているので、測量先方者はコンクリート境界標とピンポールの両方を支える必要がなくなりとても便利である。
また、請求項２はピンポールアダプターにピンポールを２本セットすることで、コンクリート境界標を境界線に綺麗に向けて埋石できることができとても便利である。
【発明の効果】
【０００５】  本発明により、コンクリート境界標埋石の最、コンクリート境界標の位置と傾きと方向を同時に判断でき便利である。
【発明を実施するための最良の形態】
【０００６】  図１はピンポールアダプター（１４）にピンポール（１）（２）をセットし、コンクリート境界標に装着し、土地境界線（１８）の方向（Ａ）に、ピンポール（１）（２）の方向を土地境界線方向（Ａ’）に向けた図である。【０００７】  図２はピンポールアダプターの立面図である。万力の蝶ネジ（２３）を回し締付器（２２）でコンクリート境界標（１６）を固定する。【０００８】  図３はピンポールアダプターの平面図である。上部に開放部（２４）を設けることで、ピンポールアダプター装着時にコンクリート境界標のタイプ（２６）（２７）（２８）と矢印（２７）（２８）の向きを確認できるので、便利である。【０００９】  図４はピンポールアダプターを装着しないで、コンクリート境界標を埋石した場合の例である。測量先方者は屈みながらの作業になるので、コンクリート境界標の微妙な傾きに気が付かない。また、片手でピンポールを、もう一方の手で、コンクリート境界標を支えなければならないので不安定である。【００１０】  図５はピンポールアダプターを、コンクリート境界標に装着した場合の例である。ピンポールとコンクリート境界標がピンポールアダプターにより一体化しているので、ピンポールを垂直に立てるだけで、コンクリート境界標も垂直になる。【００１１】  図６は、コンクリート境界標のプラスタイプである。【００１２】  図７は、コンクリート境界標の真直ぐ矢印タイプである。【００１３】  図８は、コンクリート境界標の斜め矢印タイプである。【００１４】  図９は、コンクリート境界標のプラスタイプにピンポールアダプターを装着した場合の例である。ピンポール受けナット（９）に反射プリズムと水平気泡管（３）を付けたピンポール（１）をセットし、境界線（Ｂ）方向にコンクリート境界標を向けるにはピンポール受けナット（６）にピンポール（２）をセットし、（Ｃ）方向に向けるには（８）に、（Ｄ）方向に向けるには（１０）にセットします。【００１５】  図１０は、コンクリート境界標の真直ぐ矢印タイプにピンポールアダプターを装着した場合の例である。ピンポール受けナット（６）に反射プリズムと水平気泡管（３）を付けたピンポール（１）をセットし、境界線（Ｅ）方向にコンクリート境界標を向けるにはピンポール受けナット（５）にピンポール（２）をセットし、（Ｆ）方向に向けるには（７）に、（Ｇ）方向に向けるには（１２）にセットします。【００１６】  図１１は、コンクリート境界標の斜め矢印タイプにピンポールアダプターを装着した場合の例である。ピンポール受けナット（７）に反射プリズムと水平気泡管（３）を付けたピンポール（１）をセットし、境界線（Ｈ）方向にコンクリート境界標を向けるにはピンポール受けナット（５）にピンポール（２）をセットします。
【産業上の利用可能性】
【００１７】  本発明に掛かるピンポールアダプターは、工業的に量産する事が可能であるため、産業上の利用可能性を有する。
【図面の簡単な説明】
【００１８】
【図１】ピンポールアダプターの斜め図である。
【図２】ピンポールアダプターの断面図である。
【図３】ピンポールアダプターの平面図である。
【図４】ピンポールアダプターを装着しない例である。
【図５】ピンポールアダプターを装着した例である。
【図６】コンクリート境界標のプラスタイプである。
【図７】コンクリート境界標の真直ぐ矢印タイプである。
【図８】コンクリート境界標の斜め矢印タイプである。
【図９】コンクリート境界標のプラスタイプにピンポールアダプターを装着した場合の例である。
【図１０】コンクリート境界標の真直ぐ矢印タイプにピンポールアダプターを装着した場合の例である。
【図１１】コンクリート境界標の斜め矢印タイプにピンポールアダプターを装着した場合の例である。
【符号の説明】
【００１９】１      ピンポール
２      ピンポール
３      反射プリズムと水平気泡管
４      測量先方者の目
５      ピンポール受けナット
６      ピンポール受けナット
７      ピンポール受けナット
８      ピンポール受けナット
９      ピンポール受けナット
１０    ピンポール受けナット
１１    ピンポール受けナット
１２    ピンポール受けナット
１３    ピンポール受けナット
１４    ピンポールアダプター本体
１５    万力
１６    コンクリート境界標
１７    埋石用の穴
１８    土地境界線
１９    ピンポールの接続用ボルト
２０    ピンポールの接続用ボルト
２１    ピンポールアダプターの内壁
２２    万力の締付部
２３    万力の蝶ネジ
２４    開放部
２５    石突き
２６    コンクリート境界標のプラスタイプ
２７    コンクリート境界標の真直ぐ矢印タイプ
２８    コンクリート境界標の斜め矢印タイプ
【図１】
2009036742.tif 000003
【図２】
2009036742.tif 000004
【図３】
2009036742.tif 000005
【図４】
2009036742.tif 000006
【図５】
2009036742.tif 000007
【図６】
2009036742.tif 000008
【図７】
2009036742.tif 000009
【図８】
2009036742.tif 000010
【図９】
2009036742.tif 000011
【図１０】
2009036742.tif 000012
【図１１】
2009036742.tif 000013
【手続補正書】
【提出日】平成19年8月27日(2007.8.27)
【手続補正１】
【補正対象書類名】明細書
【補正対象項目名】全文
【補正方法】変更
【補正の内容】
【発明の詳細な説明】
【技術分類】
【０００１】  本発明は、測量の境界標埋石に関するものであり、境界標埋石をし易くしたものである。
【背景技術】
【０００２】  従来から、コンクリート境界標埋石の最、コンクリート境界標を垂直に且つ正しい向きに埋石するには、下げ振り等を使用していました。
【特許文献】  特に知らない。
【非特許文献】  特に知らない。
【発明の開示】
【発明が解決しようとする課題】
【０００３】  しかし、測量先方者は測量観測者が指示する正しい位置にコンクリート境界標をずらしながら、コンクリート境界標の傾きと方向を同時に見なければならず、熟練者であっても容易にできるものではありません。
【課題を解決するための手段】
【０００４】  この課題を解決するための請求項１の発明は、コンクリート境界標とピンポールをアダプターで固定し、コンクリート境界標とピンポールを一体化することにより、ピンポールの気泡菅を見るだけで容易にコンクリート境界標を垂直に立てることが可能になり、コンクリート境界標とピンポールが一体化しているので、測量先方者はコンクリート境界標とピンポールの両方を支える必要がなくなりとても便利である。
また、請求項２はピンポールアダプターにピンポールを２本セットすることで、コンクリート境界標を境界線に綺麗に向けて埋石できることができとても便利である。
【発明の効果】
【０００５】  本発明により、コンクリート境界標埋石の最、コンクリート境界標の位置と傾きと方向を同時に判断でき便利である。
【発明を実施するための最良の形態】
【０００６】  図１はピンポールアダプター（１４）にピンポール（１）（２）をセットし、コンクリート境界標（１６）に装着し、土地境界線（１８）の方向（Ａ）に、ピンポール（１）（２）の方向を土地境界線方向（Ａ’）に向けた図である。【０００７】  図２はピンポールアダプターの立面図である。蝶ネジ（２１）を回し締付ボルト（２０）でコンクリート境界標（１６）を固定する。【０００８】  図３はピンポールアダプターの平面図である。上部に開放部（２１）を設けることで、ピンポールアダプター装着時にコンクリート境界標のタイプ（２３）（２４）（２５）と矢印（２４）（２５）の向きを確認できるので、便利である。【０００９】  図４はピンポールアダプター（１４）を装着しないで、コンクリート境界標（１６）を埋石した場合の例である。測量先方者は屈みながらの作業になるので、コンクリート境界標（１６）の微妙な傾きに気が付かない。また、片手でピンポール（１）を、もう一方の手で、コンクリート境界標（１６）を支えなければならないので不安定である。【００１０】  図５はピンポールアダプター（１４）を、コンクリート境界標（１６）に装着した場合の例である。ピンポール（１）とコンクリート境界標（１６）がピンポールアダプター（１４）により一体化しているので、ピンポール（１）を垂直に立てるだけで、コンクリート境界標（１６）も垂直になる。【００１１】  図６は、コンクリート境界標のプラスタイプ（２３）である。【００１２】  図７は、コンクリート境界標の真直ぐ矢印タイプ（２４）である。【００１３】  図８は、コンクリート境界標の斜め矢印タイプ（２５）である。【００１４】  図９は、コンクリート境界標のプラスタイプ（２４）にピンポールアダプター（１４）を装着した場合の例である。ピンポール受けボルト（９）に反射プリズムと水平気泡管（３）を付けたピンポール（１）をセットし、境界線（Ｂ）方向にコンクリート境界標を向けるにはピンポール受けボルト（６）にピンポール（２）をセットし、（Ｃ）方向に向けるには（８）に、（Ｄ）方向に向けるには（１０）にセットします。【００１５】  図１０は、コンクリート境界標の真直ぐ矢印タイプ（２５）にピンポールアダプターを装着した場合の例である。ピンポール受けボルト（６）に反射プリズムと水平気泡管（３）を付けたピンポール（１）をセットし、境界線（Ｅ）方向にコンクリート境界標を向けるにはピンポール受けボルト（５）にピンポール（２）をセットし、（Ｆ）方向に向けるには（７）に、（Ｇ）方向に向けるには（１２）にセットします。【００１６】  図１１は、コンクリート境界標の斜め矢印タイプ（２６）にピンポールアダプターを装着した場合の例である。ピンポール受けボルト（７）に反射プリズムと水平気泡管（３）を付けたピンポール（１）をセットし、境界線（Ｈ）方向にコンクリート境界標を向けるにはピンポール受けボルト（５）にピンポール（２）をセットします。
【産業上の利用可能性】
【００１７】  本発明に掛かるピンポールアダプターは、工業的に量産する事が可能であるため、産業上の利用可能性を有する。
【図面の簡単な説明】
【００１８】
【図１】  ピンポールアダプターの斜め図である。
【図２】  ピンポールアダプターの断面図である。
【図３】  ピンポールアダプターの平面図である。
【図４】  ピンポールアダプターを装着しない例である。
【図５】  ピンポールアダプターを装着した例である。
【図６】  コンクリート境界標のプラスタイプである。
【図７】  コンクリート境界標の真直ぐ矢印タイプである。
【図８】  コンクリート境界標の斜め矢印タイプである。
【図９】  コンクリート境界標のプラスタイプにピンポールアダプターを装着した場合の例である。
【図１０】  コンクリート境界標の真直ぐ矢印タイプにピンポールアダプターを装着した場合の例である。
【図１１】  コンクリート境界標の斜め矢印タイプにピンポールアダプターを装着した場合の例である。
【符号の説明】
【００１９】  １      ピンポール
２      ピンポール
３      反射プリズムと水平気泡管
４      測量先方者の目
５      ピンポール受けボルト
６      ピンポール受けボルト
７      ピンポール受けボルト
８      ピンポール受けボルト
９      ピンポール受けボルト
１０    ピンポール受けボルト
１１    ピンポール受けボルト
１２    ピンポール受けボルト
１３    ピンポール受けボルト
１４    ピンポールアダプター本体
１５    締付ボルト
１６    コンクリート境界標
１７    埋石用の穴
１８    土地境界線
１９    ピンポールアダプターの内壁
２０    締付ボルト
２１    蝶ネジ
２２    開放部
２３    石突き
２４    コンクリート境界標のプラスタイプ
２５    コンクリート境界標の真直ぐ矢印タイプ
２６    コンクリート境界標の斜め矢印タイプ
【手続補正２】
【補正対象書類名】図面
【補正対象項目名】全図
【補正方法】変更
【補正の内容】
【図１】
2009036742.tif 000014
【図２】
2009036742.tif 000015
【図３】
2009036742.tif 000016
【図４】
2009036742.tif 000017
【図５】
2009036742.tif 000018
【図６】
2009036742.tif 000019
【図７】
2009036742.tif 000020
【図８】
2009036742.tif 000021
【図９】
2009036742.tif 000022
【図１０】
2009036742.tif 000023
【図１１】
2009036742.tif 000024